(57)【特許請求の範囲】
【請求項１】
携帯用情報端末に接続して使用する情報コード読取装置において、
前記情報コードを光学的に読み取り、その読み取った情報コードを電気信号に変換するスキャナ本体を備えるとともに、
前記スキャナ本体には、前記光学的な読み取り側とは異なる前記スキャナ本体の背面側に、前記携帯情報端末が装着される構成を有し、
更に、前記携帯用情報端末と嵌合して、前記電気信号を前記携帯情報端末に送る接合板と、前記スキャナ本体から前記接合板に前記電気信号を送る屈曲可能な導電部と、を備えるとともに、
前記接合板に、前記スキャナ本体による読取開始を指示するトリガスイッチと、前記スキャナ本体の動作を示す光表示部と、を設け、
更に、前記接合板内に配置される基板の裏表両面に、該基板に電気的に接続される前記光表示部のランド及び前記トリガスイッチの接点を設けたことを特徴とする情報コード読取装置。
【請求項２】
前記情報コードがバーコードであり、前記情報コード読取装置がバーコードスキャナであることを特徴とする前記請求項１に記載の情報コード読取装置。
【請求項３】
前記請求項１又は２に記載の情報コード読取装置の製造方法であって、
前記接合板を構成する上下のケースを各ケースに対応した枠体に樹脂を注入して製造する場合に、各ケースの枠体における光表示部及びトリガスイッチの対応箇所を入れ子にすることを特徴とする情報コード読取装置の製造方法。
【発明の詳細な説明】
【０００１】
【発明の属する技術分野】
本発明は、例えば商品の販売管理などに広く使用されているバーコード等の情報コードを読み取る情報コード読取装置に関する。
【０００２】
【従来の技術】
従来より、情報コード読取装置としては、例えば特開平８−１４７３９９号に示す様なバーコードリーダ（スキャナ）が知られている。
このスキャナは、接合板の一端にコネクタを備えるとともに、他端に箱状のスキャナ本体を備えたものであり、接合板が携帯情報端末の側面の装着スロットに装着されると、接合板のコネクタとスロット内のコネクタとが電気的に接続されて、スキャナと携帯情報端末とが一体になる。
【０００３】
【発明が解決しようとする課題】
ところが、上述したスキャナは、ＣＣＤなどの受光素子を用いるので、光学系の大きさが大きく、携帯情報端末と比較してスキャナの大きさが非常に大きく前に出てしまう。
【０００４】
そのため、スキャナ本体と接合板との間に大きなストレスがかかり、最悪の場合、折れてしまうという問題がある。
また、このスキャナでは、読取用の窓がスキャナ本体の側方、即ち携帯情報端末の側方にあり、よって、携帯情報端末を側方から保持して使用しなければならないので、非常に読り取りづらいという問題がある。
【０００５】
本発明は、前記課題を解決するためになされたものであり、情報コード読取装置と携帯情報端末の接続を好適に行うことができ、しかも、情報コードの読み取りが容易な情報コード読取装置及びその製造方法を提供することを目的とする。
【０００６】
【課題を解決するための手段及び発明の効果】
（１）請求項１の発明は、携帯用情報端末に接続して使用する情報コード読取装置において、前記情報コードを光学的に読み取り、その読み取った情報コードを電気信号に変換するスキャナ本体を備えるとともに、前記スキャナ本体には、前記光学的な読み取り側とは異なる前記スキャナ本体の背面側に、前記携帯情報端末が装着される構成を有し、更に、前記携帯用情報端末と嵌合して、前記電気信号を前記携帯情報端末に送る接合板と、前記スキャナ本体から前記接合板に前記電気信号を送る屈曲可能な導電部と、を備えるとともに、前記接合板に、前記スキャナ本体による読取開始を指示するトリガスイッチと、前記スキャナ本体の動作を示す光表示部と、を設け、更に、前記接合板内に配置される基板の裏表両面に、該基板に電気的に接続される前記光表示部のランド及び前記トリガスイッチの接点を設けたことを特徴とする情報コード読取装置を要旨とする。
【０００７】
本発明では、スキャナ本体の背面に携帯情報端末を接続する構成であり、その読み取り側は、スキャナ本体の背面とは異なる（例えば背面と反対）側に設けられている。
そのため、スキャナ本体等を持って、例えばバーコードを読み取る場合には、その読み取り操作が非常に容易である。また、スキャナ本体の背面に携帯情報端末を装着するので、装置全体の長さが従来より短くなり、その点からも操作が容易である。更に、従来の様に接合板にスキャナ本体が固定されているという構成ではないので、スキャナ本体等の破損が少ないという利点がある。その上、スキャナ本体は、装置を把持する場合にその把持する部分として利用できるので、それほど小型化する必要がなく、コスト等の点からも有利である。また、それほど小型化する必要がないので、頑丈にすることができる。
【０００９】
また、本発明では、スキャナ本体の背面に携帯情報端末を装着するとともに、携帯情報端末に接合板を嵌合させ、この接合板とスキャナ本体とを、例えばワイヤの様な屈曲可能な導電部で接続している。
つまり、携帯情報端末は、スキャナ本体の背面にて機械的に接続されているとともに、電気的な接続は、接合板及び導電部にて行なわれている。このため、例えば、スキャナ本体の背面に携帯情報端末を接続した後に、導電部にてスキャナ本体に接続された接合板を携帯情報端末に嵌合させれば、電気的接続が完了するので、情報コード読取装置と携帯情報端末との（機械的及び電気的）接続作業が容易である。尚、電気的接続を先に行なってもよい。
【００１２】
更に、本発明では、トリガスイッチは、接合板に設けられている。そのため、接合板内の基板にて、トリガスイッチの接点を設ける箇所を適宜設定することにより、トリガスイッチの位置を最適な位置に容易に定めることができる。
【００１３】
加えて、本発明では、光表示部は、接合板に設けられている。そのため、接合板内の基板にて、光表示部（例えばＬＥＤ）の接点（ランド）を設ける箇所を適宜設定することにより、光表示部の位置を最適な位置に容易に定めることができる。
【００１５】
その上、本発明では、接合板内に配置される基板の裏表両面に、光表示部のランド及びトリガスイッチの接点を設けている。
つまり、接続対象である携帯情報端末によっては、基板を裏側にして使用しなければならない場合があるが、本発明では、基板の両側にランド及び接点があるので、そのようなときにでも、基板の表側と同様な箇所に、光表示部やトリガスイッチを設けることができる。即ち、本発明では、基板に汎用性があるので、製造上極めて有利である。
【００１６】
（２）請求項２の発明は、前記情報コードがバーコードであり、前記情報コード読取装置がバーコードスキャナであることを特徴とする前記請求項１に記載の情報コード読取装置を要旨とする。
【００１７】
本発明では、情報コード読取装置を例示したものであり、ここでは、バーコードスキャナが挙げられる。従って、バーコードをバーコードスキャナで読み取って、その情報を携帯情報端末に送信することができる。
（３）請求項３の発明は、前記請求項１又は２に記載の情報コード読取装置の製造方法であって、前記接合板を構成する上下のケースを各ケースに対応した枠体に樹脂を注入して製造する場合に、各ケースの枠体における光表示部及びトリガスイッチの対応箇所を入れ子にすることを特徴とする情報コード読取装置の製造方法を要旨とする。
【００１８】
本発明では、各ケースの枠体における光表示部及びトリガスイッチの対応箇所を入れ子にしている。
つまり、接続対象である携帯情報端末によっては、接合板を裏側にして使用しなければならない場合があるが、本発明では、そのようなときにでも、必要に応じて、各ケースの枠体の入れ子の部分を外したり嵌めたりすることにより、光表示部やトリガスイッチとなる空孔を、容易に開けたり閉じたりすることができる。即ち、本発明では、その枠体に汎用性があるので、製造上極めて有利である。
【００１９】
【発明の実施の形態】
次に、本発明の情報コード読取装置及びその製造方法の実施の形態の例（実施例）について、図面に基づいて説明する。
（実施例１）
本実施例の情報コード読取装置は、バーコードを光学的に読み取ることができるバーコードリーダ（バーコードスキャナ）である。
【００２０】
ａ）まず、実施例１の情報コード読取装置のハード構成について説明する。
図１及び図２に示す様に、本実施例における情報コード読取装置１は、その主面に携帯情報端末（ＰＤＡ）２を搭載して使用されるものであり、主として、バーコードを読み取るスキャナ本体３と、読み取った情報を携帯情報端末２に送信する接合板４と、スキャナ本体３と接合板４とを電気的に接続する柔軟なワイア（フラットケーブル）６とから構成されている。
【００２１】
前記携帯情報端末２は、スキャナ本体３の背面側（図２の上方）に着脱自在に装着され、接合板４は、携帯情報端末２の側面の嵌合孔１１に取出可能に嵌め込まれるものである。尚、携帯情報端末２をスキャナ本体３に固定する方法としては、例えばスキャナ本体３側からのネジ止め等による方法があるが、詳しくは後述する。
【００２２】
以下各構成について詳述する。
図２に示す様に、前記スキャナ本体３は、略くの字状にカーブした装置であり、そのフラットな背面に、情報携帯端末２が着脱可能に接続されている。スキャナ本体３の左下端には、バーコードを読み取るための読取部７が設けられている。スキャナ本体３の内部には、スキャナ用基板８が設けられ、スキャナ用基板８には、読取部７を駆動する制御部９が設けられている。
【００２３】
図３に示す様に、前記読取部７は、発光ダイオードなどの発光素子７ａ、透明な読取用窓７ｂ、鏡７ｃ、集光用レンズ７ｄ、ＣＣＤなどの受光素子７ｅ等からなり、この受光素子７ｅは、入射光をアナログの電気信号に変換して出力する。
図４に示す様に、前記接合板４は、情報携帯端末２の側面の嵌合孔１１に嵌め込まれる略直方体の先端部１２と、その先端部１２より大きな直方体で（嵌合時に）情報携帯端末２から突出する基端部１３とから構成されている。この接合板４は、上ケース１４ａと下ケース１４ｂとが一体に接合された筐体１４内に、接合板用基板１６（図６参照）を収納したものである。
【００２４】
接合板４の先端部１２の先端面には、携帯情報端末２と電気的接続を行うためのコネクタ用の開口１７が多数設けられている。また、先端部１１の左右の側面１８ａ，１８ｂには、先端部１２を携帯情報端末２に嵌め込む際の案内用の溝１９ａ，１９ｂが設けられている。この溝１９ａ，１９ｂは、左右でその断面形状が異なっている。一方、図５に示す様に、携帯情報端末２の嵌合孔１１には、その溝１９ａ，１９ｂと嵌め合いとなる左右で形状の異なる凸部２１ａ，２１ｂが設けられている。よって、溝１９ａ，１９ｂ及び凸部２１ａ，２１ｂの構成により、接合板４の裏表が間違ってはめ込まれることが防止される。
【００２５】
また、図４に示す様に、接合板４の基端部１３の上面には、バーコードを読み取る際に読取部７を駆動させるトリガスイッチ２２と、読取部７の作動状態を示すＬＥＤ２３とが設けられている。
図６（ａ）に示す様に、前記接合板４内に収納されている接合板用基板１６には、ＬＥＤ２３に通電するためのランド２４と、トリガスイッチ２２の接点２６と、ＣＰＵ２９を含む制御回路２７と、コネクタ２８とが設けられている。尚、接合板用基板１６の裏表両側には、図６（ｂ）に示す様に、ランド２４及び接点２６が設けられている。
【００２６】
従って、本実施例では、図７（ａ）に示す様に、トリガスイッチ２２のオンの場合には、接合板４の制御回路２７から、スキャナ本体３の制御部９に、フラットケーブル６の信号線６ａを介して、読取部７を駆動制御する制御信号が出力される。また、同時に、ＬＥＤ２３を点灯するための信号が出力される。一方、読取部７にて読み取られたバーコードを示すアナログ信号は、制御部９から、信号線６ｂを介して、制御回路２７に送信されてデジタル信号に変換される。そして、このデジタル信号が、コネクタ２８を介して情報携帯端末２に送信される。
【００２７】
この様に、本実施例の情報コード読取装置１は、スキャナ本体３の背面に情報携帯端末２を装着し、スキャナ本体３の下端側の読取部７にてバーコードを読み取る構成であるので、携帯情報端末２を装着した状態におけるバーコードの読み取り操作が容易である。
【００２８】
また、本実施例では、接合板４は、携帯情報端末２の側面に嵌め込まれ、その接合板４とスキャナ本体３とが柔軟性のあるフラットケーブル６で接続される構成であり、従来の様に、接合板とスキャナ本体とが一体の構造ではないので、スキャナ本体３や接合板４等が破損し難いという効果がある。
【００２９】
更に、本実施例では、接合板４側に、制御部９から送信されたアナログ信号をデジタル信号に変換して処理するＣＰＵ２９を含む制御回路２７を設けたので、スキャナ本体３と接合板４との間を接続するフラットケーブル６の信号線の本数を少なくすることができる。例えば本実施例では、信号線６ａ，６ｂに加え、電源線等の数本を使用しているだけである。
【００３０】
ｂ）次に、本実施例の情報コード読取装置１の接合板４の製造方法について説明する。
接合板４の筐体１４を製造する場合には、上ケース１４ａと下ケース１４ｂとを、別体に製造する。
【００３１】
具体的には、上ケース１４ａと下ケース１４ｂとに対応した枠体（図示せず）を用い、例えば周知の樹脂材料を用いた射出成形により上ケース１４ａや下ケース１４ｂを製造する。このとき、枠体は、トリガスイッチ２２の部分とＬＥＤ２３の部分は入れ子にしておく。つまり、上ケース１４ａの枠体において、入れ子を外してケースを製造すると、トリガスイッチ２２を装着する部分とＬＥＤ２３を装着する部分に穴の開いた上ケース１４ａを作製することができる。一方、下ケース１４ｂの枠体において、入れ子を嵌めてケースを製造すると、トリガスイッチ２２の部分とＬＥＤ２３の部分に穴のない下ケース１４ｂを作製することができる。
【００３２】
また、逆に、前記上ケース１４ａの枠体において、入れ子を嵌めてケースを製造すると、図８に示す様に、トリガスイッチ２２の部分とＬＥＤ２３の部分に穴のない下ケース１４ｂ’を作製することができる。一方、前記下ケース１４ｂの枠体において、入れ子を外してケースを製造すると、トリガスイッチ２２の部分とＬＥＤ２３の部分に穴の開いた上ケース１４ａ’を作製することができる。
【００３３】
従って、この場合は、接合体４’の先端部１２’の左右の溝１９ａ’，１９ｂ’は、図４に示す実施例１の接合体４とは、左右逆になる。
つまり、携帯情報端末２には、その接合板４の裏表を逆にして接続する様な種々のタイプがあるので、上述した製造方法を採用することにより、各種の携帯情報端末２に対応した接合板４を、少ない枠体で製造することができるという利点がある。
【００３４】
尚、本実施例では、図６（ｂ）に示す様に、接合板用基板１６の裏表にランド２６と接点２６が設けてあるので、接合板用基板１６の裏表を逆にしても使用することができる。つまり、接合板用基板１６は、図４及び図６に示す接合板４，４’に用いることができ、その汎用性が高いという利点がある。
（実施例２）
次に、実施例２について説明するが、前記実施例１と同様な部分の説明は、簡略化又は省略する。
【００３５】
本実施例では、前記実施例１とは、スキャナ本体と接合板との電気的構成が異なる。
図７（ｂ）に示す様に、本実施例の情報コード読取装置３１は、スキャナ本体３２側に、制御部３３とＣＰＵ３４等を設け、接合板３５側に、シリアル信号をパラレル信号に変換する変換回路３６とトリガスイッチ３７とＬＥＤ３８等を設けている。
【００３６】
本実施例の場合には、スキャナ本体３２と接合板３５とを接続するフラットケーブル３９の信号線の本数は前記実施例１よりは多くなるが、それ以外は、前記実施例１と同様な効果を奏する。
（実施例３）
次に、実施例３について説明するが、前記実施例１と同様な部分の説明は、簡略化又は省略する。
【００３７】
本実施例では、前記実施例１とは、スキャナ本体と接合板との電気的構成が異なる。
図７（ｃ）に示す様に、本実施例の情報コード読取装置４１は、スキャナ本体４２側に、制御部４３とＣＰＵ４４等を設け、接合板４５側に、トリガスイッチ４６やＬＥＤ４７等を設けている。
【００３８】
本実施例の場合には、スキャナ本体４２と接合板４５とを接続するフラットケーブル４８の信号線の本数は前記実施例２よりは多くなるが、それ以外は、前記実施例１と同様な効果を奏する。
（実施例４）
次に、実施例４について説明するが、前記実施例１と同様な部分の説明は、簡略化又は省略する。
【００３９】
本実施例は、情報携帯端末を装着する部分に特徴がある。
図９に示す様に、本実施例の情報コード読取装置５１は、スキャナ本体５２の背面（図９（ａ）の上方）に、携帯情報端末５３を着脱自在に装着している。
スキャナ本体５２の背面の側端部からは、図９（ｂ）に示す様に、左右（同図では上下方向）二本づつの合計４本の固定アーム５４が立設されており、その固定アーム５４の先端は内側に折れ曲がった固定爪５６を有している。
【００４０】
従って、携帯情報端末を図９の右側から左右の固定アーム５４の間に嵌め込むことにより、携帯情報端末５３をスキャナ本体５２に装着することができる。尚、スキャナ本体５２の左側には段部５７が設けられているので、携帯情報端末５３はこの段部５７にて位置決めされることになる。
【００４１】
本実施例においても、前記実施例１とほぼ同様なスキャナ本体５２、接合板５８、フラットケーブル５９等を備えているので、前記実施例１と同様な効果を奏するとともに、固定アーム５４や固定爪５６等を備えているので、携帯情報端末５３の着脱が容易であるという利点がある。
（実施例５）
次に、実施例５について説明するが、前記実施例１と同様な部分の説明は、簡略化又は省略する。
【００４２】
図１０に示す様に、本実施例の情報コード読取装置６１は、前記実施例４と同様な固定アーム６２及び固定爪６３を備えている。
本実施例では、スキャナ本体６４の段部６６が大きく、携帯情報端末６７の側面のほぼ全体を覆っている。
【００４３】
従って、接合板６８は外部に露出することなく、携帯情報端末６７とスキャナ本体６４との内部に収納された形態となる。
また、図１０（ｂ）に示す様に、接合板６８の表面には、トリガスイッチ６９とＬＥＤ７１が設けられているので、トリガスイッチ６９の操作が可能な様に、スキャナ本体６４の段部６６には、略Ｕ字状の切欠７２が設けられている。
【００４４】
本実施例は、前記実施例４と同様な効果を奏するとともに、接合板６８が装置内部に収容されているので、接合板６８が破損し難いという利点がある。
（実施例６）
次に、実施例６について説明するが、前記実施例１と同様な部分の説明は、簡略化又は省略する。
【００４５】
図１１に示す様に、本実施例の情報コード読取装置８１は、前記実施例５と同様な固定アーム８２及び固定爪８３を備えている。
本実施例では、スキャナ本体８４の左側が下方に大きく延びて把持部８６となった、ガン形状である。そして、把持部８６の左側にトリガスイッチ８７が設けられ、トリガスイッチ８７の上方にバーコードを読み取るための読取用窓８８が設けられている。尚、接合板８９の上面にはＬＥＤ９１が設けられ、そのＬＥＤ９１の上方の筐体９２の一部が透明とされて、ＬＥＤ９１の点滅を確認可能である。
【００４６】
本実施例は、前記実施例５と同様な効果を奏するとともに、把持部８６により装置を持つことができるので、バーコードの読み取りの操作が容易であるという利点がある。
（実施例７）
次に、実施例７について説明するが、前記実施例１と同様な部分の説明は、簡略化又は省略する。
【００４７】
図１２に示す様に、本実施例の情報コード読取装置１０１においては、スキャナ本体１０２は、上ケース１０３ａと下ケース１０３ｂとが接合された形状であり、その上ケース１０３ａに、前記実施例５とほぼ同様な固定アーム１０４及び固定爪１０６が立設されている。
【００４８】
そして、図１２（ａ）のＡ−Ａ断面図である図１２（ｂ）に示す様に、固定爪１０６の下面の先端には、（固定アーム１０４及び固定爪１０６の弾性を利用して）携帯情報端末１０９をしっかりと保持するために、突起１０７が設けられている。
【００４９】
また、図１２（ａ）に示す様に、接合板１０８は、携帯情報端末１０９に全体が収容されており、携帯情報端末１０９の図の手前側の側面には、左右の固定アーム１０４の間に、複数の制御ボタンが１１０が露出している。
本実施例は、前記実施例５と同様な効果を奏するとともに、携帯情報端末１０９をしっかりと保持でき、また、側面の制御ボタン１１０による操作も可能であるという利点がある。
【００５０】
尚、図１２（ｂ）に示すスキャナ本体１０２の形状以外に、例えば図１３に示す形状が考えられる。例えば、図１３（ａ）では、スキャナ本体１１１の下ケース１１２が小型であり、それに比べて情報携帯端末が大きい。また、図１３（ｂ）では、スキャナ本体１１５の下ケース１１６が大型であり、それに比べて情報携帯端末が小さい。
【００５１】
また、図１２（ａ）に示す固定アーム１０４の形状以外に、例えば図１４に示す形状が考えられる。例えば、図１４（ａ）では、左右の固定アーム１２１ａ，１２１ｂが携帯情報端末１２２の制御ボタン１２３ａ，１２３ｂの邪魔にならない様に、固定アーム１２１ａ，１２１ｂに各々半円状の切欠１２４ａ，１２４ｂが設けてある。また、図１４（ｂ）では、左右の固定アーム１２６ａ，１２６ｂの間に一方の制御ボタン１２７ａが露出し、大径の固定アーム１２６ｂに開口部１２８が設けられるとともに、この開口部１２８に他方の制御ボタン１２７ｂが露出している。
（実施例８）
次に、実施例８について説明するが、前記実施例１と同様な部分の説明は、簡略化又は省略する。
【００５２】
図１５に示す様に、本実施例の情報コード読取装置１３１においては、スキャナ本体１３２の背面側（図１５（ａ）の手前側）に、可動式の４個の固定アーム１３３が取り付けられている。
この固定アーム１３３は、下辺１３３ａが長い略コの字状であり、下辺１３３ａには、長尺の開口部１３４が設けられ、この開口部１３４にネジ１３６が嵌め込まれ、ネジ１３６はスキャナ本体１３２に螺合されている。従って、このネジ１３６を緩めることにより、固定アーム１３３を幅方向（図１５（ｂ）の左右方向）に移動させることができる。
【００５３】
本実施例では、前記実施例１と同様な効果を奏するとともに、この可動式の（向かい合う）固定アーム１３３の間隔を調節することにより、幅の異なる各種の携帯情報端末１３７をしっかりと固定することができるという利点がある。
（実施例９）
次に、実施例９について説明するが、前記実施例１と同様な部分の説明は、簡略化又は省略する。
【００５４】
図１６（ａ）に示す様に、本実施例の情報コード読取装置１４１においては、スキャナ本体１４２に固定アーム１４３が立設されるとともに、固定アーム１４３には、水平に延びる固定爪１４４及び下方に突出する突起１４６が設けられている。
【００５５】
特に、本実施例では、固定爪１４４にはネジ１４７を備え、このネジ１４７を締め付けることにより、携帯情報端末１４８を上方よりしっかりと固定することができる。尚、ネジ１４７は、他の固定爪１４４にも同様に設けられている。
（実施例１０）
次に、実施例１０について説明するが、前記実施例１と同様な部分の説明は、簡略化又は省略する。
【００５６】
図１６（ｂ）に示す様に、本実施例の情報コード読取装置１５１においては、スキャナ本体１５２に固定アーム１５３が立設されるとともに、固定アーム１５３には、水平に延びる固定爪１５４及び下方に突出する突起１５６が設けられている。
【００５７】
特に、本実施例では、固定爪１５４には第１のネジ１５７を備えるとともに、固定アーム１５３の垂直な部分にも同様な第２のネジ１５８を備えている。従って、第１のネジ１５７を締め付けることにより、携帯情報端末１５９を上方より固定するとともに、第２のネジ１５８を締め付けることにより、携帯情報端末１５９を側方よりしっかりと固定することができる。尚、両ネジ１５７，１５８は、他の固定アーム１５３及びその固定爪１５４にも同様に設けられている。
【００５８】
尚、本発明は前記実施例に何等限定されるものではなく、本発明を逸脱しない範囲において種々の態様で実施しうることはいうまでもない。
例えば実施例１の情報コード読取装置に、例えば実施例４〜１０の各種のアーム等による携帯情報端末の固定方法を採用できる。
【図面の簡単な説明】
【図１】  実施例１の情報コード読取装置に携帯情報端末を装着した状態を示す斜視図である。
【図２】  実施例１の情報コード読取装置に携帯情報端末を装着した状態を示す正面図である。
【図３】  実施例１の情報コード読取装置の読取部の構成を示す説明図である。
【図４】  実施例１の情報コード読取装置の接合板を示す斜視図である。
【図５】  携帯情報端末の嵌合孔を示す説明図である。
【図６】  接合用基板を示し、（ａ）はその斜視図、（ｂ）はその正面図である。
【図７】  情報コード読取装置の電気構成を示し、（ａ）は実施例１の情報コード読取装置の説明図、（ｂ）実施例２の情報コード読取装置の説明図、（ｃ）実施例３の情報コード読取装置の説明図である。
【図８】  他の実施例の接合板を示す斜視図である。
【図９】  実施例４の情報コード読取装置に携帯情報端末を装着した状態を示し、（ａ）はその正面図、（ｂ）はその一部示す平面図である。
【図１０】  実施例５の情報コード読取装置に携帯情報端末を装着した状態を示し、（ａ）はその正面図、（ｂ）はその平面図である。
【図１１】  実施例６の情報コード読取装置に携帯情報端末を装着した状態を示す正面図である。
【図１２】  実施例７の情報コード読取装置に携帯情報端末を装着した状態を示し、（ａ）はその正面図、（ｂ）は（ａ）におけるスキャナ本体のＡ−Ａ断面図である。
【図１３】  他の実施例のスキャナ本体の断面図である。
【図１４】  他の実施例の固定アームを示す説明図である。
【図１５】  実施例８の情報コード読取装置に携帯情報端末を装着した状態を示し、（ａ）はその平面図、（ｂ）はその一部の側面図である。
【図１６】  （ａ）は実施例９の情報コード読取装置に携帯情報端末を装着した状態を示す説明図、（ｂ）は実施例１０の情報コード読取装置に携帯情報端末を装着した状態を示す説明図である。
【符号の説明】
１，３１，４１，５１，６１，８１，１０１，１３１，１４１，１５１…情報コード読取装置
２，５３，６７，１０９，１２２，１３７，１４８，１５８…携帯情報端末
３，３２，４２，５２，６４，８４，１０２，１１１，１１５，１３２，１４２，１５２…スキャナ本体
４，４’，３５，４５，５８，６８，８９，１０８…接合板
６，３９，４８，５９…ワイア（フラットケーブル）
７…読取部
９，３３，４３…制御部
１１…嵌合孔
１２，３７，４６，６９，８７…トリガスイッチ
１３８，４７，７１，９１…ＬＥＤ
２４…ランド
２６…接点
２７…制御回路
２８…コネクタ
２９，３４，４４…ＣＰＵ
５４，６２，８２，１０４，１２１ａ，１２１ｂ，１２６ａ，１２６ｂ，１４３，１５３…固定アーム
５６，６３，８３，１０６，１４４，１５４…固定爪
【図１】
0003870595.tif 000002
【図２】
0003870595.tif 000003
【図３】
0003870595.tif 000004
【図４】
0003870595.tif 000005
【図５】
0003870595.tif 000006
【図６】
0003870595.tif 000007
【図７】
0003870595.tif 000008
【図８】
0003870595.tif 000009
【図９】
0003870595.tif 000010
【図１０】
0003870595.tif 000011
【図１１】
0003870595.tif 000012
【図１２】
0003870595.tif 000013
【図１３】
0003870595.tif 000014
【図１４】
0003870595.tif 000015
【図１５】
0003870595.tif 000016
【図１６】
0003870595.tif 000017